【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
被検体に挿入される挿入部と湾曲部とを有する内視鏡と、
前記湾曲部の湾曲操作をするための操作レバーと、
被検体に照明光を照射するためのＬＥＤと、
前記内視鏡が接続される内視鏡本体部と、
を備える内視鏡装置であって、
前記内視鏡本体部は、
複数のハウジングが接合部を介して接合されて形成されており、
前記接合部に、接合用シール部材が設けられ、水密を保持されることを特徴とする内視鏡装置。
【請求項２】
前記複数のハウジングは、
底面部と側壁部とを備えて断面略コ字状に形成されており、
前記内視鏡本体部は、
前記複数のハウジングのそれぞれの開放端側が付き合わされて接合されたモナカ構造をなしていることを特徴とする請求項１に記載の内視鏡装置。
【請求項３】
前記接合用シール部材と前記ハウジングの接合部との接合は、
嵌合による接合であることを特徴とする請求項２に記載の内視鏡装置。
【請求項４】
前記内視鏡が接続される本体側接続部を備え、
この本体側接続部に、接続用シール部材が設けられていることを特徴とする請求項１から請求項３のいずれか一項に記載の内視鏡装置。
【請求項５】
前記内視鏡本体部が、外部機器と接続するための外部機器接続部を備え、
この外部機器接続部が、少なくとも外部機器が接続されていない状態において水密に保持されることを特徴とする請求項１から請求項４のいずれか一項に記載の内視鏡装置。
【請求項６】
前記内視鏡本体部は、前記外部機器接続部が配される接続凹部と、この接続凹部に着脱可能に取り付けられる蓋部と、を備えており、
前記接続凹部または前記蓋部のいずれか一方に、凹部用シール部材が設けられていることを特徴とする請求項５に記載の内視鏡装置。
【請求項７】
前記内視鏡本体部は、
冷却用ファンと、少なくとも前記ＬＥＤに電源を供給するための電源部と、を備えていることを特徴とする請求項１から請求項６のいずれか一項に記載の内視鏡装置。
【請求項８】
前記内視鏡部を備え、
前記挿入部及び前記操作部が、水密に形成されていることを特徴とする請求項１から請求項７のいずれか一項に記載の内視鏡装置。
【手続補正２】
【補正対象書類名】明細書
【補正対象項目名】０００５
【補正方法】変更
【補正の内容】
【０００５】
上記課題を解決するために、本発明は以下の手段を提供する。
本発明に係る内視鏡装置は、被検体に挿入される挿入部と湾曲部とを有する内視鏡と、前記湾曲部の湾曲操作をするための操作レバーと、被検体に照明光を照射するためのＬＥＤと、前記内視鏡が接続される内視鏡本体部と、を備える内視鏡装置であって、前記内視鏡本体部は、複数のハウジングが接合部を介して接合されて形成されており、前記接合部に、接合用シール部材が設けられ、水密を保持されることを特徴とする。
【手続補正３】
【補正対象書類名】明細書
【補正対象項目名】０００６
【補正方法】変更
【補正の内容】
【０００６】
この発明に係る内視鏡装置においては、内視鏡本体部が水密に形成されていることから、水、油及び塵埃などの浸入を防止することができる。
【手続補正４】
【補正対象書類名】明細書
【補正対象項目名】０００７
【補正方法】変更
【補正の内容】
【０００７】
また、本発明に係る内視鏡装置は、請求項１に記載の内視鏡装置において、前記複数のハウジングは、底面部と側壁部とを備えて断面略コ字状に形成されており、前記内視鏡本体部は、前記複数のハウジングのそれぞれの開放端側が付き合わされて接合されたモナカ構造をなしていることを特徴とする。
【手続補正５】
【補正対象書類名】明細書
【補正対象項目名】０００８
【補正方法】変更
【補正の内容】
【０００８】
この発明に係る内視鏡装置においては、内視鏡本体部がモナカ構造をなしているため、一のハウジング内に内蔵部品を設けてから他のハウジングを被せるなどして、内視鏡本体部を容易に組み立てることができる。さらに、ハウジングを外すことにより、内蔵部品を容易に露出させることができるため、メンテナンス性を向上させることができる。
【手続補正６】
【補正対象書類名】明細書
【補正対象項目名】０００９
【補正方法】変更
【補正の内容】
【０００９】
また、本発明に係る内視鏡装置は、請求項２に記載の内視鏡装置において、前記接合用シール部材と前記ハウジングの接合部との接合は、嵌合による接合であることを特徴とする。
【手続補正７】
【補正対象書類名】明細書
【補正対象項目名】００１０
【補正方法】変更
【補正の内容】
【００１０】
この発明に係る内視鏡装置においては、接合用シール部材とハウジングの接合部との接合を嵌合により接合することから、ハウジングとハウジングとの間の隙間を確実に埋めることができ、水、油及び塵埃などの浸入を確実に防止することができる。
【手続補正８】
【補正対象書類名】明細書
【補正対象項目名】００１１
【補正方法】変更
【補正の内容】
【００１１】
また、本発明に係る内視鏡装置は、請求項１から請求項３のいずれか一項に記載の内視鏡装置において、前記内視鏡が接続される本体側接続部を備え、この本体側接続部に、接合用シール部材が設けられていることを特徴とする。
【手続補正９】
【補正対象書類名】明細書
【補正対象項目名】００１２
【補正方法】変更
【補正の内容】
【００１２】
この発明に係る内視鏡装置においては、内視鏡部を本体側接続部に接続すると、接続用シール部材により、本体側接続部が水密に保持される。
これにより、内視鏡部が内視鏡本体部に接続された状態において、本体側接続部を介して内視鏡本体部に水などが浸入することを確実に防止することができる。
【手続補正１０】
【補正対象書類名】明細書
【補正対象項目名】００１３
【補正方法】変更
【補正の内容】
【００１３】
また、本発明に係る内視鏡装置は、請求項１から請求項４のいずれか一項に記載の内視鏡装置において、前記内視鏡本体部が、外部機器と接続するための外部機器接続部を備え、この外部機器接続部が、少なくとも外部機器が接続されていない状態において水密に保持されることを特徴とする。
【手続補正１１】
【補正対象書類名】明細書
【補正対象項目名】００１４
【補正方法】変更
【補正の内容】
【００１４】
この発明に係る内視鏡装置においては、外部機器接続部を介して内視鏡本体部に外部機器が接続される。そして、少なくとも外部機器が接続されていない状態において、外部機器接続部は水密に保持される。
これにより、外部機器を接続しないで使用されることが多い屋外での検査において、水などの浸入を確実に防止することができる。
なお、「少なくとも」とは、外部機器が接続されていない状態においては、水密に保持されているが、外部機器が接続されている状態においては、水密に保持されているか否かを問わないことを意味するものである。
【手続補正１２】
【補正対象書類名】明細書
【補正対象項目名】００１５
【補正方法】変更
【補正の内容】
【００１５】
また、本発明に係る内視鏡装置は、請求項５に記載の内視鏡装置において、前記内視鏡本体部は、前記外部機器接続部が配される接続凹部と、この接続凹部に着脱可能に取り付けられる蓋部と、を備えており、前記接続凹部または前記蓋部のいずれか一方に、凹部用シール部材が設けられていることを特徴とする。
【手続補正１３】
【補正対象書類名】明細書
【補正対象項目名】００１６
【補正方法】変更
【補正の内容】
【００１６】
この発明に係る内視鏡装置においては、接続凹部に蓋部を着脱可能に取り付けると、凹部用シール部材により、接続凹部内が水密に保持される。
これにより、接続凹部から外部機器接続部を通って、水などが浸入することを確実に防止することができる。
【手続補正１４】
【補正対象書類名】明細書
【補正対象項目名】００１７
【補正方法】変更
【補正の内容】
【００１７】
また、本発明に係る内視鏡装置は、請求項１から請求項６のいずれか一項に記載の内視鏡装置において、前記内視鏡本体部は、冷却用ファンと、少なくとも前記ＬＥＤに電源を供給するための電源部と、を備えていることを特徴とする。
【手続補正１５】
【補正対象書類名】明細書
【補正対象項目名】００１８
【補正方法】変更
【補正の内容】
【００１８】
この発明に係る内視鏡装置においては、冷却用ファンと、少なくとも前記ＬＥＤに電源を供給するための電源部と、を水密に保持される。
【手続補正１６】
【補正対象書類名】明細書
【補正対象項目名】００１９
【補正方法】変更
【補正の内容】
【００１９】
また、本発明に係る内視鏡装置は、請求項１から請求項７のいずれか一項に記載の内視鏡装置において、前記内視鏡部を備え、前記挿入部及び前記操作部が、水密に形成されていることを特徴とする。
【手続補正１７】
【補正対象書類名】明細書
【補正対象項目名】００２０
【補正方法】変更
【補正の内容】
【００２０】
この発明に係る内視鏡装置においては、内視鏡本体部だけでなく、挿入部及び操作部も水密に保持される。
これにより、内視鏡装置全体の水密を保持することができ、水などの浸入を確実に防止することができる。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】